(57)【要約】【課題】容量の大きな貯水槽であっても沈殿物の排出効率を向上させることができ、しかも貯水槽内を清掃したり、沈殿物を排出するメンテナンスをほとんど必要としない緊急用貯水装置を提供する。【解決手段】給水管１３を貯水槽１２の下部に接続すると共に、送水管１４，１５を貯水槽１２の上下部に接続し、送水管１４，１５のうち上側送水管１４の他端部を、飲料用として使用する頻度の高い給水設備に接続し、送水管１４，１５のうち下側送水管１５の他端部を、飲料用として使用する頻度の低い給水設備に接続すると共に、下側送水管１５の一端部は、貯水槽１２内の沈殿物を排出し易い様に貯水槽１２の底壁１２ｄ近傍に接続する。【選択図】図１
2007217976.tif 000002
【特許請求の範囲】
【請求項１】
貯水槽の上手側に給水管を配管し、前記給水管を上水道管に接続して前記貯水槽に水を供給すると共に、前記貯水槽の下手側に送水管を配管し、前記貯水槽内に常に満水状態に保持すべく構成し、前記送水管に接続される給水設備によって給水可能とされ、断水時には前記貯水槽内の水を汲出し可能とした緊急用貯水装置において、
前記給水管を前記貯水槽の下部に接続すると共に、前記送水管を前記貯水槽の上下部に接続し、
前記送水管のうち上側送水管の他端部を、飲料用として使用する頻度の高い給水設備に接続し、
前記送水管のうち下側送水管の他端部を、飲料用として使用する頻度の低い給水設備に接続すると共に、前記下側送水管の一端部は、前記貯水槽内の沈殿物を排出し易い様に前記貯水槽底壁近傍に接続されていることを特徴とする緊急用貯水装置。
【請求項２】
前記給水管を分岐して前記貯水槽の上下部に接続すると共に、前記上側送水管に接続される給水設備と前記下側送水管に接続される給水設備との使用水量に応じて、前記給水管の上側給水管或いは下側給水管のうち何れか一方から前記貯水槽へ給水可能とする給水切換装置を備えたことを特徴とする請求項１記載の緊急用貯水装置。
【請求項３】
前記給水切換装置は、前記上側給水管と前記下側給水管とが接続されると共に、前記上側送水管又は及び前記下側送水管からの接続細管が接続され、前記上側送水管又は及び前記下側送水管の圧力変化に応じて機械式に前記上側給水管或いは前記下側給水管の切り換えを行うことを特徴とする請求項２記載の緊急用貯水装置。
【請求項４】
前記上側送水管に接続される給水設備にのみ給水する場合には、前記貯水槽内を上手側から下手側に向かって螺旋状に流れるように前記下側給水管から給水し、前記下側送水管に接続される給水設備にのみ給水する場合には、前記貯水槽内に堆積した沈殿物を拡散させることなく排出するように前記上側給水管から給水することを特徴とする請求項２又は３に記載の緊急用貯水装置。
【請求項５】
前記貯水槽内に、前記上側給水管からの給水方向と前記下側給水管からの給水方向とを維持させる仕切部材を配設すると共に、前記上側送水管に接続される給水設備にのみ給水する場合には、前記上側給水管から給水し、前記下側送水管に接続される給水設備にのみ給水する場合には、前記貯水槽内に堆積した沈殿物を拡散させることなく排出するように前記下側給水管から給水することを特徴とする請求項２又は３に記載の緊急用貯水装置。
【発明の詳細な説明】
【技術分野】
【０００１】
この発明は、災害時の飲料水確保のために、住宅敷地等の地下に埋設される緊急用貯水装置に関する。
【背景技術】
【０００２】
従来、この種の緊急用貯水装置にあっては、図１２に示されるように、貯水槽１の底壁２近傍の上手側鏡板３に、上水道管４に連なった給水管５を接続すると共に、下手側鏡板６の上部に送水管７を接続し、通常は貯水槽１を水道管の一部として機能させ、日常の生活用水の使用により貯水槽１内の水を新鮮な水に入れ替えるようになっている。そして、断水時には、貯水槽１内に蓄えられた水を蓋体８に設けた汲み上げ口９から汲み取って使用できるように構成されていた（特許文献１参照）。
【０００３】
しかしながら、上記した従来の緊急用貯水装置にあっては、次のような問題がある。すなわち、家族の人数に対応させるため容量の大きな貯水槽（例えば、約４００〜５００リットル）が用いられる場合には、貯水槽１のなかで水の澱みが生じ、貯水槽１内で雑菌が発生したり、水道水中に含まれる不純物が蓄積する虞がある。貯水槽１内で雑菌が発生したり不純物が蓄積すると、災害時ばかりでなく日常の生活用水の使用にも支障を来してしまう。
そこで、給水管５の開口管端部から噴出する水を、貯水槽１の内周壁に沿って螺旋状に流すことによって貯水槽１内の水を攪拌して、水の澱みを防止することが提案されている。ところが、このような方法によると、水より比重の大きな不純物を十分に排出することは難しく、水より比重の大きな不純物は、長期の使用で貯水槽１内に沈殿物として蓄積してしまうという問題があった。
そして、沈殿物が過度に蓄積すると貯水槽１内の水質を悪化させてしまうため、点検口１０から定期的に貯水槽１内を清掃したり、ドレイン孔を設けて沈殿物を排出する必要があり、メンテナンス上の煩わしさがあった。
【０００４】
【特許文献１】特開２００４−２３８８２０号公報
【発明の開示】
【発明が解決しようとする課題】
【０００５】
そこで、この発明は、上記した従来技術が有している問題点を解決するためになされたものであって、容量の大きな貯水槽であっても沈殿物の排出効率を向上させることができ、しかも貯水槽内を清掃したり、沈殿物を排出するメンテナンスをほとんど必要としない緊急用貯水装置を提供することを目的とする。
【０００６】
上記目的を達成するため第１の発明は、貯水槽の上手側に給水管を配管し、前記給水管を上水道管に接続して前記貯水槽に水を供給すると共に、前記貯水槽の下手側に送水管を配管し、前記貯水槽内に常に満水状態に保持すべく構成し、前記送水管に接続される給水設備によって給水可能とされ、断水時には前記貯水槽内の水を汲出し可能とした緊急用貯水装置において、
前記給水管を前記貯水槽の下部に接続すると共に、前記送水管を前記貯水槽の上下部に接続し、前記送水管のうち上側送水管の他端部を、飲料用として使用する頻度の高い給水設備に接続し、前記送水管のうち下側送水管の他端部を、飲料用として使用する頻度の低い給水設備に接続すると共に、前記下側送水管の一端部は、前記貯水槽内の沈殿物を排出し易い様に前記貯水槽底壁近傍に接続されていることを特徴とする。
【０００７】
第１の発明によれば、飲料用として使用される頻度の高い給水設備、例えば、台所、風呂等飲料用の蛇口等の栓を開けると、貯水槽の上壁付近から上澄みの水が上側送水管を介して飲料用として使用される頻度の高い給水設備に給水される。一方、飲料用として使用される頻度の低い給水設備、例えばトイレ、屋外散水用等の蛇口等の栓を開けると、貯水槽の底壁に溜まった水が下側送水管を介して飲料用として使用される頻度の低い給水設備に給水される。これにより、必要に応じて給水設備の栓を開くと通常どおり水を使用することができると共に、このとき使用した水の量に応じて給水管から水が給水されるので、貯水槽内の水位は自動的に満水状態に保持される。さらには、水道水中に僅かに含まれる水より比重が大きく、貯水槽の底壁に蓄積する沈殿物は、トイレ、屋外散水用等の給水設備を使用する度に下側送水管より排出される。こうした給水設備は日常的に利用されるので、貯水槽内の水は常に新鮮で清浄な状態を保つことができる。しかも、下側送水管より供給される水は、飲料用として使用されることは殆どないので、水の味が多少劣っても影響はない。さらには、台所、風呂等飲料用として使用する頻度の高い給水設備は、上側送水管に接続されているので、沈殿物を殆ど含まない上澄みの水、つまり良質で美味な水を提供することができる。
また、貯水槽内に日常的に、新鮮で沈殿物を殆ど含まない水が蓄えられるので、断水が長引いても、長期に亘って衛生状態の良好な水を確保することが可能となる。
【０００８】
上記目的を達成するため第２の発明は、第１の発明において、前記給水管を分岐して前記貯水槽の上下部に接続すると共に、前記上側送水管に接続される給水設備と前記下側送水管に接続される給水設備との使用水量に応じて、前記給水管の上側給水管或いは下側給水管のうち何れか一方から前記貯水槽へ給水可能とする給水切換装置を備えたことを特徴とする。
【０００９】
上記目的を達成するため第３の発明は、第２の発明において、前記給水切換装置は、前記上側給水管と前記下側給水管とが接続されると共に、前記上側送水管又は及び前記下側送水管からの接続細管が接続され、前記上側送水管又は及び前記下側送水管の圧力変化に応じて機械式に前記上側給水管或いは前記下側給水管の切り換えを行うことを特徴とする。
【００１０】
第２、第３の発明によれば、上側送水管に接続された給水設備の栓が開かれた状態にあっては、上側送水管の水圧が低下し、上側送水管と下側送水管の圧力差の変化が接続細管を介して給水切換装置に伝達され、上水道管と下側給水管とを連通させるので、貯水槽の上壁付近から上澄みの水が上側送水管を介して飲料用として使用される頻度の高い給水設備に給水される。また、下側送水管に接続された給水設備の栓が開かれた状態にあっては、下側送水管の水圧が低下し、上側送水管と下側送水管の圧力差の変化が接続細管を介して給水切換装置に伝達され、上水道管と上側給水管とを連通させるので、貯水槽の底壁付近に溜まった水が沈殿物と一緒に下側送水管を介して飲料用として使用される頻度の低い給水設備に給水される。これにより、第１の発明の作用効果に加えて、給水状況に応じて貯水槽内の水の流れを制御できるようになると共に、下側送水管からの沈殿物の積極的な排出及び上側送水管からの清浄な飲料用水の給水を自動的、且つ効率的に行うことができるようになる。従って、第１の発明よりも、さらに沈殿物を含まない良質で美味な水を給水設備に向かって日常的に給水することが可能となるうえに、貯水槽内に新鮮で沈殿物を殆ど含まない水を日常的に蓄えることができるようになる。
特に、第３の発明によれば、給水切換装置が上側送水管又は及び下側送水管の圧力変化に応じて機械的に自動切換を行うので、停電時であっても給水切換装置は作動可能であり、断水にならない限り給水切換機能を維持させることができる。また、電機系を必要としないので、給水切換装置の保守を容易化することができると共に、電力がかからずローコストに構成することができる。
【００１１】
上記目的を達成するため第４の発明は、第２又第３の発明において、前記上側送水管に接続される給水設備にのみ給水する場合には、前記貯水槽内を上手側から下手側に向かって螺旋状に流れるように前記下側給水管から給水し、前記下側送水管に接続される給水設備にのみ給水する場合には、前記貯水槽内に堆積した沈殿物を拡散させることなく排出するように前記上側給水管から給水することを特徴とする。
【００１２】
第４の発明によれば、上側送水管に接続される給水設備にのみ給水する場合には、貯水槽内の内壁に沿って螺旋状に流れるように貯水槽内に給水される。これにより、貯水槽内の水が常に攪拌されて澱むのを防止することができる。また、下側送水管に接続される給水設備にのみ給水する場合には、貯水槽内に堆積した沈殿物を拡散させることなく排出するように上側給水管から貯水槽内に給水される。これにより、第２又は第３の発明の作用効果に加えて、貯水槽内に堆積した沈殿物を拡散させることなく、より効率的に排出することができるようになる。
【００１３】
上記目的を達成するため第５の発明は、第２又は第３の発明において、前記貯水槽内に、前記上側給水管からの給水方向と前記下側給水管からの給水方向とを維持させる仕切部材を配設すると共に、前記上側送水管に接続される給水設備のみ送水する場合には、前記上側給水管から給水し、前記下側送水管に接続される給水設備のみ送水する場合には、前記貯水槽内に堆積した沈殿物を拡散させることなく排出するように前記下側給水管から給水することを特徴とする。
【００１４】
第５の発明によれば、上側給水管から噴出された水は、仕切部材によって貯水槽の上手側から下手側にほぼ直進するように流れる。また、下側給水管から噴出された水も、仕切部材によって貯水槽の上手側から下手側にほぼ直進するように流れる。これにより、第２又は第３の発明の作用効果に加えて、貯水槽の上手側から下手側に水が流れても、貯水槽の底壁に溜まった沈殿物の拡散が防止されるので、上側送水管から給水設備に供給される水には沈殿物が殆ど含まれず、下側送水管からより効率的に沈殿物を排出することができるようになる。
【発明の効果】
【００１５】
本発明の緊急用貯水装置によれば、給水管を貯水槽の下部に接続すると共に、送水管を貯水槽の上下部に接続し、送水管のうち上側送水管の他端部を、飲料用として使用する頻度の高い給水設備に接続し、送水管のうち下側送水管の他端部を、飲料用として使用する頻度の低い給水設備に接続すると共に、下側送水管の一端部は、貯水槽内の沈殿物を排出し易い様に貯水槽底壁近傍に接続した。
これにより、台所、風呂等飲料用等の飲料用として使用される頻度の高い給水設備、蛇口等の栓を開けると、貯水槽からオーバーフローした上澄みの水が上側送水管を介して飲料用として使用される頻度の高い給水設備に給水される一方で、トイレ、屋外散水用等の飲料用として使用される頻度の低い給水設備の蛇口等の栓を開けると、貯水槽の底壁に溜まった水が下側送水管を介して飲料用として使用される頻度の低い給水設備に給水されるので、水道水中に僅かに含まれる水より比重が大きく、貯水槽の底壁に蓄積する沈殿物は、トイレ、屋外散水用等の給水設備を使用する度に下側送水管より排出される。こうした給水設備は日常的に利用されるので、貯水槽内の水は常に新鮮で清浄な状態を保つことができるようになる。しかも、下側送水管より供給される水は、飲料用として使用されることは殆どないので、水の味が多少劣っても影響はない。さらには、台所、風呂等飲料用として使用する頻度の高い給水設備は、上側送水管に接続されているので、沈殿物を殆ど含まない上澄みの水、つまり良質で美味な水を提供することができる。
【発明を実施するための最良の形態】
【００１６】
以下、本発明の実施形態について図面を参照して詳細に説明する。
図１は、本発明の第１の実施形態に係る緊急用貯水装置の側面図、図２は、同例における貯留槽内部の水の流れを示した模式図である。
【００１７】
図１，２に示されるように、本緊急用貯水装置１１は、災害時の生活用水が常に確保できるように住宅敷地等の地下に埋設されるものであって、貯水槽１２、給水管１３、上側送水管１４及び下側送水管１５とを備えて構成されている。
【００１８】
詳述すると、貯水槽１２は、本体部１２ａが横置き円筒状に形成されており、その長手方向の中央部上面には、上方に開口した点検口１６を有する円筒状の立ち上げ部１２ｂが一体的に形成されている。さらに、この貯水槽１２は、通常は水道管の一部として機能する強度、耐久性等が付与されていると共に、軽量且つ防錆性に優れた材質（例えばステンレス鋼板）が用いられている。
なお、本実施形態に係る貯水槽の容量は、約４００〜５００リットルの大きさとされているが、これに限定されるものではない。
【００１９】
点検口１６の上側には蓋体１７が載置されていると共に、この蓋体１７は複数の止めボルト（図示せず）によって点検口１６に着脱自在に取り付け固定されている。そして、これら複数の止めボルトを取り外すことにより、蓋体１７を開けて貯水槽１２内を容易に点検、清掃できようになっている。また、蓋体１７には、貯水槽１２内のエアを抜くためのエア抜き口（図示せず）と、汲み上げポンプ等を用いて貯水槽内の水を汲み上げるための汲み上げ口（図示せず）とが設けられており、これらエア抜き口及び汲み上げ口には、それぞれ開閉用のキャップ１８，１９が冠着されている。
【００２０】
貯水槽１２の上手側には、貯水槽１２内部に水を供給する給水管１３が配管されている。この給水管１３の一端部は、道路等に埋設された上水道管２０に図示しない逆止弁を介して接続されている。また、給水管１３の他端部、つまり開口管端部は、本体部１２ａの上手側の鏡板１２ｃの下部を貫通した状態で、貯水槽１２内の底壁１２ｄ近傍に位置するように配管されている。さらに、給水管１３の開口管端部は、貯水槽１２の本体部１２ａの内壁に臨むように側方に向けられ、且つ僅かに前方、つまり貯水槽１２内の下手側の鏡板１２ｅに向けられている。これにより、上水道管２０からの水が、その水圧により逆止弁を経て貯水槽１２内に流入すると共に、給水管１３の開口管端部から噴出された水は、図２に示されるように、貯水槽１２の内壁に沿って上手側から下手側に向かって螺旋状に流れるようになっている。
【００２１】
一方、貯水槽１２の下手側には、貯水槽１２内の水を給水設備（図示せず）に送水する２本の送水管、つまり上側送水管１４及び下側送水管１５が上下方向に離間した状態で配管されている。上側送水管１４の一端部は、本体部１２ａの上壁１２ｆ（図２に図示）近傍とされる位置、つまりこの実施形態にあっては本体部１２ａの下手側の鏡板１２ｅの上部に接続されている。また、この上側送水管１４の他端部は、家屋内の台所や風呂場等、飲料用として使用される頻度の高い給水設備に接続されている。
【００２２】
これに対し、下側送水管１５の一端部は、本体部１２ａの下手側の鏡板１２ｅ近傍の底壁１２ｄに接続されている。また、この下側送水管１５の他端部は、トイレや屋外散水用等、飲料用として使用する頻度の低い給水設備に接続されている。
なお、下側送水管１５の一端部は、本体部１２ａの底壁１２ｄに接続される構成にのみ限定されるものではなく、例えば、下手側の鏡板１２ｅの最下部に接続することが可能である。
【００２３】
かかる構成によれば、上水道管２０からの水は、逆止弁を介して給水管１３から貯水槽１２の本体部１２ａ内に流入し、水位が本体部１２ａの上壁１２ｆに達しようとすると、上側送水管１４から流出しようするが、上側及び下側送水管１４，１５に接続された給水設備の蛇口等の栓を閉じておくことによって、給水管１３からの水の流入が停止した状態となっている。そして、飲料用として使用される頻度の高い給水設備の蛇口等の栓を開けると、本体部１２ａからオーバーフローした水が上側送水管１４を介して飲料用として使用される頻度の高い給水設備に給水される。一方、飲料用として使用される頻度の低い給水設備の蛇口等の栓を開けると、本体部１２ａの底壁１２ｄに溜まった水が下側送水管１５を介して飲料用として使用される頻度の低い給水設備に給水される。このように、必要に応じて給水設備の栓を開くと通常どおり水を使用することができると共に、このとき使用した水の量に応じて給水管１３から水が給水されるので、貯水槽１２内の水位は自動的に満水状態に保持される。しかも、貯水槽１２内に供給される水は給水管１３の開口管端部から噴出して貯水槽１２内の内壁に沿って螺旋状に流れるので、貯水槽１２内の水は常に攪拌されるので澱むようなことはない。
【００２４】
また、水道水中に僅かに含まれる水より比重が大きく、貯水槽１２の底に蓄積する沈殿物は、トイレ、屋外散水用等の給水設備を使用する度に下側送水管１５より排出される。こうした給水設備は日常的に利用されるので、貯水槽１２内の水は常に新鮮で清浄な状態が保たれる。また、下側送水管１５より供給される水は、飲料用として使用されることは殆どないので、水の味が多少劣っても影響はない。さらには、台所、風呂等飲料用として使用する頻度の高い給水設備は、上側送水管１４に接続されているので、沈殿物を殆ど含まない上澄みの水、つまり良質で美味な水を提供することができる。
【００２５】
そして、災害時によって水道が断水した状態にあっては、上水道管２０の水圧の低下に伴って逆止弁が作動し、水が貯水槽１２から上水道管２０側に向かって逆流するのを阻止するので、貯水槽１２を満水状態のまま保持することができる。従って、蓋体１７に設けた汲み上げ口から、貯水槽１２内に貯留されている水を手動ポンプ等で自由に汲み出して、飲料水、生活用水として使用することができる。このように、本実施形態によれば、日常的に新鮮で沈殿物を殆ど含まない水が蓄えられているので、断水が長引いても、長期に亘って衛生状態の良好な水を確保することができるようになる。
【００２６】
次に、第２の実施形態について図３〜６を用いて詳細に説明する。
図３は、本発明の第２の実施形態に係る緊急用貯水装置の側面図、図４は、同例における貯留槽内部の水の流れを示した模式図、図５は、同例における貯留槽内部の水の流れを示した模式図、図６（ａ）は、同例における給水切換装置の内部構造を示した断面図、（ｂ）は、給水切換装置の一動作状態を示した断面図、（ｃ）は、（ｂ）とは異なる給水切換装置の動作状態を示した断面図である。
【００２７】
第２の実施形態における緊急用貯水装置１１０にあっては、第１の実施形態における緊急用貯水装置１１の構成に対し、立ち上げ部１２ｂ、上側及び下側送水管１４，１５がほぼ同一の構成部材として備えられており、これらの説明はここでは省略するものとする。
【００２８】
図３〜５に示されるように、第２の実施形態に係る緊急用貯水装置１１０における貯水槽１２と上水道管２０との間には、貯水槽１２に水を供給するように上水道管２０に接続されると共に管路途中で二叉に分岐された給水管２１が配管されている。二叉に分岐された給水管２１は、貯水槽１２の上手側の鏡板１２ｃに上下方向に離間した状態で、貯水槽の鏡板１２ｃの底壁１２ｄ近傍位置には下側給水管２１ａ、貯水槽の鏡板１２ｃの上壁１２ｆ近傍位置には上側給水管２１ｂがそれぞれ接続されている。
【００２９】
下側給水管２１ａの開口管端部は、図４，５に示されるように、鏡板１２ｃの下部を貫通した状態で、貯水槽１２内の底壁１２ｄ近傍に位置するように配管されている。さらに、この下側給水管２１ａの開口管端部は、本体部１２ａの内壁に臨むように側方に向けられ、且つ僅かに前方、つまり下手側の鏡板１２ｅに向けられている。これにより、下側給水管２１ａの開口管端部から噴出された水は、貯水槽１２の内壁に沿って上手側から下手側に向かって螺旋状に流れるようになっている。
【００３０】
さらに、この貯水槽１２の底壁１２ｄには、下側給水管２１ａの開口管端部の下方側において上手側から下手側、好ましくは、下側送水管１５に向けて緩やかなスロープ１２ｄ１が一体的に形成されており、貯水槽１２の底壁１２ｄに溜まる沈殿物を下手側に集積し易い構造となっており、小孔２１ｂ１が無数に設けられることで流量が確保される。
【００３１】
一方、上側給水管２１ｂの開口管端部は、上手側の鏡板１２ｃの上部を貫通した状態で、下手側の鏡板１２ｅに近接するように延設されている。さらに、貯水槽１２内における上側給水管２１ｂには、管内から管外に向けて水を排出可能とする無数の小孔２１ｂ１が開口形成されている。これら小孔２１ｂ１は、管内の水を下向きに緩やかに拡散させて貯水槽１２内の水を攪拌しないような径状に設定されている。
【００３２】
さらに、この上側給水管２１ｂは、下側給水管２１ａから噴出される水が本体部１２ａ内を螺旋状に流れる際に抵抗とならない程度の管径を有している。これにより、上側給水管２１ｂから給水される水は、底壁１２ｄに堆積した沈殿物を強く攪拌することなく本体部１２ａ内に流入する。そして、底壁１２ｄに堆積した沈殿物は、スロープ１２ｄ１を伝って下手側に効率的に集積されたのち下側送水管１５から排出されるようになっている。
【００３３】
なお、貯水槽１２内における上側給水管２１ｂは、本体部１２ａの上壁１２ｆから図示しない支持部材を介して吊設されているが、このような支持部材を省略することも可能である。また、支持部材を配設する場合には、本体部１２ａ内を螺旋状に流れる水の抵抗とならないような形状、配置場所にするのが望ましい。
【００３４】
そして、これら上側給水管２１ｂと下側給水管２１ａとの分岐部には、図３に示されるように、給水切換装置２２が設けられている。この給水切換装置２２には、図示しない逆止弁が備えられており、この逆止弁を介して給水切換装置２２と上水道管２０とが接続されている。そして、上水道管２０からの水が、その水圧によって逆止弁を通過して貯水槽１２に流入するようになっている。
【００３５】
この給水切換装置２２には、上側送水管１４に連なった接続細管２３と、下側送水管１５に連なった接続細管２４とが接続されており、これら接続細管２３，２４を介して伝達される水圧に応じて、上水道管２０からの水を上側給水管２１ｂ、下側給水管２１ａのうち何れか一方を選択して給水するように構成されている。なお、第１の実施形態と同様に、上側送水管１４は、家屋内の台所や風呂場等、飲料用として使用される頻度の高い給水設備、下側送水管１５はトイレや屋外散水用等、飲料用として使用する頻度の低い給水設備に接続されている。
【００３６】
給水切換装置２２の一例について説明する。給水切換装置２２は、図６（ａ）に示されるように、筒状の本体部２２ａと、本体部２２ａの長手方向に向かって進退移動する筒状の可動体としての切換通路部２２ｂと、本体部２２ａと切換通路部２２ｂの上下両端部との間に形成された第１及び第２調圧室２２ｃ，２２ｄ内にそれぞれ配設された一対の付勢部材としてのバネ部材２２ｅ，２２ｆと、を備えて構成されている。
【００３７】
本体部２２ａの上手側の側面部には、給水管２１或いは上水道管２０用の接続口２２ａ１が開口形成されている。また、下手側の側面部には、上側給水管２１ｂ用の接続口２２ａ２と下側給水管２１ａ用の接続口と２２ａ３が上下に離間した状態でそれぞれ開口形成されている。また、本体部２２ａの上面部には、上側接続細管用の接続口２２ａ４が形成されていると共に、下面部には、下側接続細管用の接続口２２ａ５が形成されている。そして、上側細管接続口２２ａ４には、下側送水管１５に連なった接続細管２４が接続されていると共に、下側細管接続口２２ａ５には、上側送水管１４に連なった接続細管２３が接続されている。
【００３８】
切換通路部２２ｂの上手側の側面部には、上下に離れた２つの開口部２２ｂ１，２２ｂ２が形成されている。これらの開口部２２ｂ１，２２ｂ２は、給水管２１或いは上水道管２０とほぼ同径の孔径を有している。そして、図６（ｂ），（ｃ）に示されるように、切換通路部２２ｂが長手方向に移動して本体部２２の端部に当接すると、開口部２２ｂ１（或いは開口部２２ｂ２）と給水管２１との位置がほぼ一致するようになっている。
【００３９】
これに対し、切換通路部２２ｂの下手側の側面中央部には、開口部２２ｂ３が形成されている。この開口部２２ｂ３は、上側給水管２１ｂ或いは下側給水管２１ａとほぼ同径の孔径を有している。そして、図６（ｂ）に示されるように、切換通路部２２ｂが移動して本体部２２ａの下部に当接すると、開口部２２ｂ３と下側給水管２１ａとが連通する。また、図６（ｃ）に示されるように、切換通路部２２ｂが移動して本体部２２ａの上部に当接すると、開口部２２ｂ３と上側給水管２１ｂとが連通する。
【００４０】
また、切換通路部２２ｂの上面部及び下面部には、接続細管２３，２４への水の流量を調節するための流量調節孔２２ｂ４が複数設けられており、切換通路部２２ｂが２つの給水管２１ａ，２１ｂのうち一方に切り換わることで、流量調節孔２２ｂ４の一部が塞がれることによって接続細管２３，２４から送水管１４，１５へ供給される水量を制限する構造となっている。なお、この実施形態にあっては、給水切換装置２２を安定的に機能させるため、流量調整孔２２ｂ４のうちの一部は常に送水管１４，１５と連通させてある。
【００４１】
バネ部材２２ｅ，２２ｆは、切換通路部２２ｂを上下方向から挟むように付勢するものである。このバネ部材２２ｅ，２２ｆの付勢力は、上側及び下側送水管１４，１５に接続された給水設備の全ての蛇口等の栓が閉じられた状態にあっては、接続細管２３，２４と接続細管との圧力差が基準（この場合、圧力差は０）となり、図６（ａ）に示されるように、切換通路部２２ｂが本体部２２ａのほぼ中央位置に位置するように設定されている。なお、この状態にあっては、切換通路部２２ｂは、上側給水管２１ｂ或いは下側給水管２２ａのいずれとも連通していない。
【００４２】
また、バネ部材２２ｅ，２２ｆの付勢力は、上側送水管１４に接続された給水設備の栓が開かれた状態にあっては、上側送水管１４の水圧が低下することによって、接続細管２３を介し第２調圧室２２ｄの圧力が低下し、図６（ｂ）に示されるように、下側のバネ部材２２ｆの付勢力に抗って切換通路部２２ｂが下方移動して本体部２２ａの下面部に当接するように設定されている。そして、この状態にあっては、切換通路部２２ｂは、上水道管２０と下側給水管２１ａとを連通させるように機能する。
【００４３】
さらにまた、バネ部材２２ｅ，２２ｆの付勢力は、下側送水管１５に接続された給水設備の栓が開かれた状態にあっては、下側送水管１５の水圧が低下することによって、接続細管２４を介し第１調圧室２２ｃの圧力が低下し、図６（ｃ）に示されるように、上側のバネ部材２２ｅの付勢力抗って切換通路部２２ｂが上方移動して本体部２２ａの上面部に当接するように設定されている。そして、この状態にあっては、切換通路部２２ｂは、上水道管２０と上側給水管２１ｂとを連通させるように機能する。
【００４４】
すなわち、この第２の実施形態にあっては、上側送水管１４に接続された給水設備の栓が開かれた状態にあっては、上側送水管１４の水圧が低下することによって、上水道管２０からの水が給水切換装置２２及び接続細管２４を介して上側送水管１４に少量流入する。この状態にあっては、上側送水管１４と下側送水管１５の圧力差の変化が接続細管２３，２４を介して給水切換装置２２に伝達され、切換通路部２２ｂは、図６（ｂ）に示されるように、上水道管２０と下側給水管２１ａとを連通させる。これにより、下側給水管２１ａより給水され、本体部１２ａからオーバーフローした水が上側送水管１４を介して飲料用として使用される頻度の高い給水設備に給水される。さらに、貯水槽１２内に給水される水は、図４に示されるように、下側給水管２１ａの開口管端部から噴出して貯水槽内の内壁に沿って螺旋状に流れるので、貯水槽１２内の水は常に攪拌されて澱むのが防止される。
【００４５】
また、下側送水管１５に接続された給水設備の栓が開かれた状態にあっては、下側送水管１５の水圧が低下することによって、上水道管２０からの水が給水切換装置２２及び接続細管２３を介して下側送水管１５に少量流入する。この状態にあっては、上側送水管１４と下側送水管１５の圧力差の変化が接続細管２３，２４を介して給水切換装置２２に伝達され、切換通路部２２ｂは、図６（ｃ）に示されるように、上水道管２０と上側給水管２１ｂとを連通させる。これにより、上側給水管２１ｂより給水され、本体部１２ａの底壁１２ｄ付近に溜まった水が沈殿物と一緒に下側送水管１５を介して飲料用として使用される頻度の低い給水設備に給水される。さらに、貯水槽１２内に給水される水は、図５に示されるように、上側給水管２１ｂの管端部や小孔２１ｂ１から噴出して貯水槽１２内部の水を攪拌しないように流れるので、スロープ１２ｄ１と相まって沈殿物の排出がより一層円滑になされるようになる。
【００４６】
このように、給水切換装置２２は、上側送水管１４と下側送水管１５とに接続された給水設備の使用状況に応じて、自動的に給水管２１ａ，２１ｂの流路を切り換えるようになっており、貯水槽１２内に沈殿物が溜まりにくいようになっているだけでなく、沈殿物を速やかに貯水槽１２外に排出するようになっている。
これらの結果、給水状況に応じて貯水槽１２内の水の流れを制御できるようになると共に、下側送水管１５からの沈殿物の積極的な排出及び上側送水管１４からの清浄な飲料用水の給水を自動的、且つ効率的に行うことができるようになる。従って、第１の実施形態に比較すると、さらに沈殿物を含まない良質で美味な水を給水設備に向かって日常的に給水することが可能となるうえに、貯水槽１２内に新鮮で沈殿物を殆ど含まない水を日常的に蓄えることができるようになる。
さらにまた、給水切換装置２２は、上側送水管１４又は及び下側送水管１５の圧力変化に応じて機械的に自動切換を行うので、停電時であっても給水切換装置２２は作動可能であり、断水にならない限り給水切換機能を維持させることができる。また、電機系を必要としないので、給水切換装置２２の保守を容易化することができると共に、電力がかからずローコストに構成することができる。
【００４７】
なお、接続細管２３，２４は、上側給水管２１ｂ、下側給水管２１ａや上側及び下側送水管１４，１５に比べて十分に細く、上側及び下側送水管１４，１５の圧力差の変化を給水切換装置２２に十分に伝達できる管径で構成されている。このため、接続細管２３，２４から給水設備へ供給される水の流量は、給水設備で使用されるうちのごく一部である。
【００４８】
また、この第２の実施形態にあっては、接続細管２３，２４を給水切換装置２２の上下方向から接続するように構成したが、これに限定されるものではなく、接続細管２３，２４を給水切換装置２２のほぼ水平方向から接続するように構成することができる。そのようにすることで、止水時にあっては、上側送水管１４と下側送水管１５とからの接続細管２３，２４を介して伝達される圧力が、給水切換装置２２においてほぼ等しくなり、切換通路部２２ｂを駆動させるバネ部材２２ｅ，２２ｆの設計が容易となる。
これらの結果、第１の実施形態と比較すると、第２の実施形態に係る緊急用貯水装置１１０は、さらに沈殿物を含まない良質で美味な水を提供することができる。
【００４９】
なお、第２の実施形態の一変形例として、図７，８に示したような構成が挙げられる。図７は、第２の実施形態の一変形例を示した側面図、図８（ａ）は、同例における給水切換装置の断面図、（ｂ）は、同例における給水切換装置の動作を示した断面図である。
【００５０】
この緊急用貯水装置１１１によると、給水切換装置２２０は、通常時は上水道管２０と下側給水管２１ａとを連通させており、下側送水管１５に接続される給水設備の使用状況に応じて、上水道管２０と上側給水管２１ｂに切替えて連通させるように構成されている。
【００５１】
具体的には、給水切換装置２２０は、図８（ａ）に示されるように、回動支点２２１により回動可能に支持された切換板２２２を、通常時は押しバネ２２３及び押圧部材２２４により押しつけることによって、上側給水管２１ｂを塞いで上水道管２０と下側給水管２１ａとが連通状態となるように機能する。そして、下側送水管１５に接続された給水設備での使用水量が多くなると、図８（ｂ）に示されるように、接続細管２４を介して切換板２２２に力が加わり、切換板２２２が接続細管２４側に引き込まれることによって、下側給水管２１ａを塞いで上水道管２０と上側給水管２１ｂとが連通する。このように構成することで、第２の実施形態とほぼ同等の機能を発揮しながらも、第２の実施形態よりも部品点数を削減することが可能となる。
【００５２】
次に、第３の実施形態について図９〜１１を用いて説明する。
図９は、本発明の第３の実施形態に係る緊急用貯水装置の側面図、図１０（ａ）は、同例における貯留槽内部の水の流れを示した模式図、（ｂ）は、（ａ）中のＡ−Ａ矢視断面図、図１１は、同例における貯留槽内部の水の流れを示した模式図である。
【００５３】
この第３の実施形態による緊急用貯水装置１１２にあっては、第２の実施形態における緊急用貯水装置１１０の構成に対し、立ち上げ部１２ｂ、上側及び下側送水管１４，１５がほぼ同一の構成部材として備えられており、これらの説明はここでも省略するものとする。
【００５４】
緊急用貯水装置１１２の貯水槽１２の上手側には、図９に示されるように、貯水槽１２に水を供給する給水管２１が配管されており、貯水槽１２の底壁１２ｄ近傍には下側給水管２１ａ、上壁１２ｆ近傍には上側給水管２１ｂがそれぞれ接続されている。これら上側給水管２１ｂと下側給水管２１ａとは、第２の実施形態と同様に、給水切換装置２２から分岐されているものであって、給水切換装置の上手側には、道路等に埋設された上水道管が接続されている。そして、上水道管からの水が、その水圧により貯水槽内に流入するように構成されている。
【００５５】
給水切換装置２２は、第２の実施形態において用いられた給水切換装置（図６に図示）とほぼ同様の装置が用いられている。
そして、この第３の実施形態にあっては、図９に示されるように、上側細管接続口２２ａ４と上側送水管１４とが接続細管２３を介して接続されていると共に、下側細管接続口２２ａ５と下側送水管１５とが接続細管２４を介して接続されている。これにより、上側送水管１４に接続された給水設備の栓が開かれると上側給水管２１ｂから貯水槽１２内に給水され、下側送水管１５に接続された給水設備の栓が開かれると下側給水管２１ａから貯水槽１２内に給水されるようになっている。
【００５６】
下側給水管２１ａの開口管端部は、図１０（ａ），１１に示されるように、下手側の鏡板１２ｅに向けてほぼ真っ直ぐ前方を向くように配設されており、第２の実施形態に示した下側給水管２１ａの開口管端部の構成、すなわち、開口管端部が貯水槽１２の本体部１２ａの内壁に臨むように側方に向けられ、且つ僅かに前方に向けられた構成、とは異なっている。
【００５７】
また、貯水槽１２内の底壁１２ｄには、上手側から下手側にかけて緩やかなスロープ１２ｄ１が下側給水管２１ａと干渉しないように形成されている。このため、貯水槽１２内の底壁に溜まる沈殿物が、下手側に集積され易い構造となっている。
【００５８】
さらに、貯水槽１２の上壁１２ｆと底壁１２ｄとの対向面間には、図１０（ａ），（ｂ）に示されるように、仕切部材としての仕切板２５が上手側から下手側に延びるように配設されている。この仕切板２５は、上側及び下側給水管２１ｂ，２１ａと干渉しないように、長手方向における両端部が上手側の鏡板１２ｃと下手側の鏡板１２ｅとによって支持されている。
【００５９】
さらに、図１０（ｂ）に示されるように、この仕切板２５の断面視形状は、上壁１２ｆに向かって凸型形状、底壁１２ｄに向かって凹型形状とされていると共に、短手方向における左右両端部と本体部１２ａの内壁とは適宜距離があけられている。このため、仕切板２５の上側と下側との水は仕切板２５の左右側方を通って行き来することができるようになっている。さらには、仕切板２５よりも上側の水は仕切板２５の下方側に容易に流れ込むようになるのに対し、仕切板２５よりも下側の水は仕切板２５の上方側に流れ込みにくくなっている。
【００６０】
上述したように、給水切換装置２２は、第２の実施形態と同じ原理作用により切換動作するが、この実施形態にあっては、上側送水管１４に接続された給水設備の使用水量が多くなると、切換通路部２２ｂは、図６（ｃ）に示されたように、上水道管２０と上側給水管２１ｂとを連通させるように機能する。これに対し、下側送水管１５に接続された給水設備の使用水量が多くなると、切換通路部２２ｂは、図６（ｂ）に示されたように、上水道管２０と下側送水管２１ａとを連通させるように機能する。
【００６１】
そして、上側給水管２１ｂから噴出された水は、図１０（ａ）に示されるように、仕切板２５によって貯水槽１２の上手側から下手側にほぼ直進するように流れる。また、図１１に示されるように、下側給水管２１ａから噴出された水も、仕切板２５によって貯水槽１２の上手側から下手側にほぼ直進するように流れる。このため、貯水槽１２の上手側から下手側に水が流れても、本体部１２ａの底壁１２ｄに溜まった沈殿物の拡散が防止される。
【００６２】
また、上側送水管１４から給水設備に供給される水には沈殿物が殆ど含まれず、下側送水管１５からより効率的に沈殿物を排出することかできるようになる。また、仕切板２５は、凸型形状なので、沈殿物は仕切板２５上に蓄積せず、貯水槽１２の底壁１２ｄに蓄積する。このため、上側送水管１４から給水設備に供給される水への沈殿物の混入防止効果をより高めることができる。
なお、第３の実施形態についても、第２の実施形態の一変形例で説明したような給水切換装置２２０を使用できる様に構成することは可能である。
【図面の簡単な説明】
【００６３】
【図１】本発明の第１の実施形態に係る緊急用貯水装置の側面図である。
【図２】同例における貯留槽内部の水の流れを示した模式図である。
【図３】本発明の第２の実施形態に係る緊急用貯水装置の側面図である。
【図４】同例における貯留槽内部の水の流れを示した模式図である。
【図５】同例における貯留槽内部の水の流れを示した模式図である。
【図６】（ａ）は、同例における給水切換装置の内部構造を示した断面図、（ｂ）は、給水切換装置の一動作状態を示した断面図、（ｃ）は、（ｂ）とは異なる給水切換装置の動作状態を示した断面図である。
【図７】第２の実施形態の一変形例を示した側面図である。
【図８】（ａ）は、同例における給水切換装置の断面図、（ｂ）は、同例における給水切換装置の動作を示した断面図である。
【図９】本発明の第３の実施形態に係る緊急用貯水装置の側面図
【図１０】（ａ）は、同例における貯留槽内部の水の流れを示した模式図、（ｂ）は、（ａ）中のＡ−Ａ矢視断面図である。
【図１１】同例における貯留槽内部の水の流れを示した模式図である。
【図１２】従来の緊急用貯水装置の側面図である。
【符号の説明】
【００６４】
１１，１１０，１１１，１１２  緊急用貯水装置
１２      貯水槽
１２ａ    本体部
１２ｄ    底壁
１２ｄ１  スロープ
１２ｆ    上壁
１３      給水管
１４      上側送水管
１５      下側送水管
２０      上水道管
２１      ２叉給水管
２１ａ    下側給水管
２１ｂ    上側給水管
２１ｂ１  小孔
２２，２２０  給水切換装置
２３，２４  接続細管
２５      仕切板（仕切部材）
【図１】
2007217976.tif 000003
【図２】
2007217976.tif 000004
【図３】
2007217976.tif 000005
【図４】
2007217976.tif 000006
【図５】
2007217976.tif 000007
【図６】
2007217976.tif 000008
【図７】
2007217976.tif 000009
【図８】
2007217976.tif 000010
【図９】
2007217976.tif 000011
【図１０】
2007217976.tif 000012
【図１１】
2007217976.tif 000013
【図１２】
2007217976.tif 000014